(57)【要約】【課題】同姓の患者が存在するのか同姓同名の患者が存在するのか否かを視覚的に容易に区別することができるようにしつつ、名字または名字および名前について語感が似ている患者が存在するのか否かを視覚的に容易に判断することができるようにする。【解決手段】名字部分または名字部分および名前部分が一致する患者が存在する場合に、一致した部分の表示を一致する患者が存在しないときの表示と異ならせるようにするとともに、名字部分または名字部分および名前部分が一致しないと判定されたものの、名字部分または名字部分および名前部分の語感が一致する患者が存在する場合に、注意を促す表示を行うようにしている。これにより、名字部分が同じ語感の患者や名字部分および名前部分が同じ語感の患者が存在する場合に、注意を促す表示が行われるので、医療従事者は該当する患者の名前を読んだり聴いたりする際に、注意を払うことができる。【選択図】図１
2012008751.tif 000002
【特許請求の範囲】
【請求項１】
患者の氏名の読み仮名を示す読み仮名情報を前記患者の氏名の名字部分と名前部分とに分割して記憶するとともに、患者の氏名の音節の長さおよび母音により決まる語感を示す語感情報と前記患者の氏名の名字部分と名前部分とに分割して記憶する患者データベースと、
指定された患者の氏名を表示する表示部と、
前記指定された患者の名字部分の読み仮名情報と一致する読み仮名情報を名字部分に持つ患者、前記指定された患者の名字部分および名前部分の読み仮名情報と一致する読み仮名情報を名字部分および名前部分に持つ患者が前記患者データベースに存在するか否かを判定する患者氏名一致判定部と、
前記指定された患者の名字部分の語感情報と一致する語感情報を名字部分に持つ患者、前記指定された患者の名字部分および名前部分の語感情報と一致する語感情報を名字部分および名前部分に持つ患者が前記患者データベースに存在するか否かを判定する語感一致判定部と、
一致する患者が存在すると前記患者氏名一致判定部にて判定した場合に、一致した部分の表示を一致する患者が存在しない場合の表示と異ならせるようにして前記指定された患者の氏名を前記表示部に表示させるとともに、一致する患者が存在しないと前記患者一致判定部にて判定した場合に、前記語感情報が一致する患者が存在すると前記語感一致判定部にて判定したときに、注意を促す情報を前記表示部に表示させる表示制御部と、
を備える氏名表示装置。
【請求項２】
患者の氏名の漢字を示す漢字情報を前記患者の氏名の名字部分と名前部分とに分割して記憶するとともに、患者の氏名の音節の長さおよび母音により決まる語感を示す語感情報と前記患者の氏名の名字部分と名前部分とに分割して記憶する患者データベースと、
指定された患者の氏名を表示する表示部と、
前記指定された患者の名字部分の漢字情報と一致する漢字情報を名字部分に持つ患者、前記指定された患者の名字部分および名前部分の漢字情報と一致する漢字情報を名字部分および名前部分に持つ患者が前記患者データベースに存在するか否かを判定する患者氏名一致判定部と、
前記指定された患者の名字部分の語感情報と一致する語感情報を名字部分に持つ患者、前記指定された患者の名字部分および名前部分の語感情報と一致する語感情報を名字部分および名前部分に持つ患者が前記患者データベースに存在するか否かを判定する語感一致判定部と、
一致する患者が存在すると前記患者氏名一致判定部にて判定した場合に、一致した部分の表示を一致する患者が存在しない場合の表示と異ならせるようにして前記指定された患者の氏名を前記表示部に表示させるとともに、一致する患者が存在しないと前記患者一致判定部にて判定した場合に、前記語感情報が一致する患者が存在すると前記語感一致判定部にて判定したときに、注意を促す情報を前記表示部に表示させる表示制御部と、
を備える氏名表示装置。
【発明の詳細な説明】
【技術分野】
【０００１】
本発明は、病院などの施設に設置されるナースコールシステムの患者名表示部や電子カルテの表示部などに使用される氏名表示装置に関する。
【背景技術】
【０００２】
従来、病院などの施設内の病室内の患者の近辺（例えば、ベッド近傍など）に設置されたナースコール子機および看護師などの医療従事者の居るナースステーションなどに設置されたナースコール親機を有線や無線などにより接続するナースコールシステムが知られている。このナースコールシステムでは、ナースコール親機に液晶などのディスプレイ装置を設け、複数の患者の氏名を病院内のレイアウトなどに従ってディスプレイ装置に一覧表示することが行われている。また、このようなナースコールシステムでは、患者がナースコール子機を操作して呼び出しを行った場合に、ナースコール親機のディスプレイ装置に呼び出しを行った患者の氏名を含む患者情報をポップアップ表示することも行われている。また、患者の氏名や症状、治療歴などの患者情報を記録する電子カルテでも、液晶などのディスプレイ装置を備えており、表示部に患者の氏名を含む患者情報を表示することが行われている。
【０００３】
ところで、このようなナースコールシステムや電子カルテなどの機器を使用する場合、名字が同じである同姓の患者や名字も名前も同じである同姓同名の患者が存在するときには、医療従事者は、患者の姓や姓名によって患者を識別することが多いため、患者の取り間違えを起こしてしまうことがある。そこで、このようなことを未然に防ぐため、患者の氏名の名字部分の読み仮名または漢字が一致する患者が存在する場合に、それらの患者の氏名の名字部分の表示を異ならせるようにし、患者の氏名の名字および名前部分の読み仮名または漢字が一致する患者が存在する場合に、それらの患者の氏名の名字部分および名前部分の表示を異ならせるようにする技術が知られている（例えば、特許文献１など）。
【０００４】
しかしながら、この特許文献１を含む従来の技術では、患者の氏名の名字部分や名前部分の読み仮名または漢字が一致している場合にだけ表示を異ならせるようにしているだけなので、読み仮名や漢字が一致していないにも関わらず、語感が似ている患者については、何ら注意を促していないという問題があった。例えば、患者の氏名の名字部分が「木村（キムラ）」である患者と、患者の氏名の名字部分が「三村（ミムラ）」である患者とは、発音した場合には、混同される可能性がある。
【先行技術文献】
【特許文献】
【０００５】
【特許文献１】特開２００８−２７６３７４号公報
【発明の概要】
【発明が解決しようとする課題】
【０００６】
本発明は、このような問題を解決するために成されたものであり、ある患者に対して同姓の患者が存在するのか同姓同名の患者が存在するのか否かを医療従事者が視覚的に容易に区別することができるようにしつつ、ある患者に対して名字または名字および名前について語感が似ている患者が存在するのか否かを医療従事者が視覚的に容易に区別することができるようにすることを目的とする。
【課題を解決するための手段】
【０００７】
上述した課題を解決するために、本発明では、患者の氏名を表示する場合に、名字部分または名字部分および名前部分の読み仮名が一致する患者が存在する場合に、一致した部分の表示を一致する患者が存在しないときの表示と異ならせるようにするとともに、名字部分または名字部分および名前部分の読み仮名が一致しないものの、名字部分または名字部分および名前部分の音節の長さおよび母音により決まる語感情報が一致する患者が存在する場合に、注意を促す表示を行うようにしている。
【０００８】
また、本発明の他の態様によれば、患者の氏名を表示する場合に、名字部分または名字部分および名前部分の漢字が一致する患者が存在する場合に、一致した部分の表示を一致する患者が存在しないときの表示と異ならせるようにするとともに、名字部分または名字部分および名前部分の漢字が一致しないものの、名字部分または名字部分および名前部分の音節の長さおよび母音により決まる語感情報が一致する患者が存在する場合に、注意を促す表示を行うようにしている。
【発明の効果】
【０００９】
上記のように構成した本発明によれば、名字部分が同じ読み仮名の患者や名字部分および名前部分が同じ読み仮名の患者が存在する場合に、一致した部分（名字部分のみ、または、名字部分および名前部分の両方）が通常の表示と異なるように表示されるので、医療従事者は同姓の患者が存在しているのか同姓同名の患者が存在しているのかを容易に区別することができる。これにより、患者の氏名の名字部分のみが通常の表示と異なるように表示されている場合には、医療従事者は、患者を識別するための確認を患者の姓名まで行えば良いことを瞬時に判断することができる。また、患者の氏名の名字部分および名前部分の両方が通常の表示と異なるように表示されている場合には、医療従事者は、患者の姓名だけではなく患者の年齢や患者の性別、患者の識別番号、患者の顔などまで確認を行えば良いことを瞬時に判断することができる。また、名字部分が同じ語感の患者や名字部分および名前部分が同じ語感の患者が存在する場合に、注意を促す表示が行われるので、医療従事者は該当する患者の名前を読んだり聴いたりする際に、注意を払うことができる。
【００１０】
また、本発明の他の態様によれば、名字部分が同じ漢字の患者や名字部分および名前部分が同じ漢字の患者が存在する場合に、一致した部分（名字部分のみ、または、名字部分および名前部分の両方）が通常の表示と異なるように表示されるので、医療従事者は同姓の患者が存在しているのか同姓同名の患者が存在しているのかを容易に区別することができる。これにより、患者の氏名の名字部分のみが通常の表示と異なるように表示されている場合には、医療従事者は、患者を識別するための確認を患者の姓名まで行えば良いことを瞬時に判断することができる。また、患者の氏名の名字部分および名前部分の両方が通常の表示と異なるように表示されている場合には、医療従事者は、患者の姓名だけではなく患者の年齢や患者の性別、患者の識別番号、患者の顔などまで確認を行えば良いことを瞬時に判断することができる。また、名字部分が同じ語感の患者や名字部分および名前部分が同じ語感の患者が存在する場合に、注意を促す表示が行われるので、医療従事者は該当する患者の名前を読んだり聴いたりする際に、注意を払うことができる。
【図面の簡単な説明】
【００１１】
【図１】本実施形態による氏名表示装置の構成例を示すブロック図である。
【図２】本実施形態による氏名表示装置の患者データベースの記憶内容の例を示す図である。
【図３】本実施形態の氏名表示装置により表示される患者氏名の表示例を示す図である。
【発明を実施するための形態】
【００１２】
以下、本発明の一実施形態を図面に基づいて説明する。図１は、本実施形態による氏名表示装置の構成例を示すブロック図である。図１に示すように、本実施形態による氏名表示装置は、表示設定部１、制御部２、患者情報データベース３、表示部４を備えて構成されている。また、制御部２は、患者氏名一致判定部２ａ、語感一致判定部２ｂ、表示制御部２ｃを備えて構成されている。ここで、本実施形態による氏名表示装置は、主にナースコールシステムや電子カルテなどに使用されるが、病院の待ち合いシステムなどの患者の取り間違えが起きる可能性のあるシステムに使用可能である。
【００１３】
表示設定部１は、患者の氏名を表示するための操作を行うものであり、本実施形態による氏名表示装置が用いられるシステムにより表示の対象となる患者を選択するためのものである。ここで、本実施形態による氏名表示装置をナースコールシステムに適用し、入院している患者の氏名を病院内のレイアウトなどに従ってディスプレイ装置に一覧表示する場合には、表示設定部１は、少なくとも病院内のレイアウト上に存在する全ての患者を選択する。また、本実施形態による氏名表示装置をナースコールシステムに適用し、呼び出しを行った患者の氏名をディスプレイ装置にポップアップ表示する場合には、表示設定部１は、呼び出しを行った患者を選択する。
【００１４】
制御部２は、本実施形態による氏名表示装置の各構成要素を後述するように制御するためのものであり、ＣＰＵ（Central Processing
Unit）などにより構成されている。患者氏名一致判定部２ａは、表示設定部１により選択された患者の氏名について、姓（名字）のみが一致している他の患者が存在するか否かを判定するとともに、姓名（名字および名前）の両方が一致している他の患者が存在するか否かを判定する。ここで、名字の一致や名字および名前の一致は、名字や名前の漢字の一致だけではなく、名字や名前の読み仮名の一致も含まれる。また、比較対象となる他の患者は、後述する患者データベース３に記憶されている患者となる。
【００１５】
語感一致判定部２ｂは、表示設定部１により選択された患者の氏名について、名字の語感が一致している他の患者が存在するか否かを判定するとともに、名字および名前の両方の語感が一致している他の患者が存在するか否かを判定する。ここで、語感の一致とは、音節の長さと母音が一致していることを示す。なお、具体的な例については、後述する。
【００１６】
表示制御部２ｃは、患者の氏名の表示を制御するもので、漢字や読み仮名について、名字のみが一致している他の患者が存在する場合と、名字および名前の両方が一致している他の患者が存在する場合と、それ以外の場合とで患者の氏名の表示を異ならせるように表示の制御を行う。また、表示制御部２ｃは、名字や名字および名前については一致しないものの、名字または名字および名前の両方の語感が一致している他の患者が存在する場合に、医療従事者に注意を促す文字列などの表示の制御を行う。
【００１７】
患者情報データベース３は、表示の対象となる患者について、各患者の氏名の名字部分を示す漢字および名前部分を示す漢字を示す漢字情報、その患者の氏名の名字部分の読み仮名および名前部分の読み仮名を示す読み仮名情報、その患者の氏名の名字部分の語感および名前部分の語感をローマ字で示す語感情報を関連付けて図３に示すように記憶している。なお、本実施形態では、漢字情報および読み仮名情報の両方を患者情報データベース３に記憶しているが、これに限定されない。例えば、漢字情報および語感情報のみを患者情報データベース３に記憶するようにしても良いし、読み仮名情報および語感情報のみを患者情報データベース３に記憶するようにしても良い。
【００１８】
表示部４は、表示設定部１により選択された患者の氏名を表示するもので、例えば、ディスプレイ装置により構成される。ここで、表示設定部１により「鈴木  徹」が選択されると、患者氏名一致判定部２ａは、図３に示す患者データベース３を検索して、漢字情報の名字部分、漢字情報の名字部分および名前部分、読み仮名情報の名字部分、読み仮名情報の名字部分および名前部分が一致する他の患者が存在するか否かを判定する。その結果、患者氏名一致判定部２ａは、「鈴木  徹」と名字部分の漢字情報および名字部分の読み仮名情報が一致する「鈴木  三郎」が存在すると判定する。
【００１９】
表示制御部２ｃは、表示設定部１により選択された患者である「鈴木  徹」の漢字情報を患者情報データベース３から取得し、その名字部分に下線を引いたものを表示部４に表示する（図３（Ａ））。なお、表示設定部１により選択された患者の氏名に対して同姓の患者が存在することをより強調するために、「鈴木  徹」の文字全体を通常と異なる色として表示するようにしても良い（例えば、通常の文字の表示が黒である場合には、赤で表示するなど）。
【００２０】
また、表示設定部１により「鈴木  三郎」が選択された場合にも、患者氏名一致判定部２ａは、「鈴木  三郎」と名字部分の漢字情報および名字部分の読み仮名情報が一致する「鈴木  徹」が存在すると判定する。そのため、表示制御部２ｃは、「鈴木  三郎」の名字部分に下線を引いたものを表示部４に表示する。
【００２１】
また、表示設定部１により「渡辺  剛」が選択されると、患者氏名一致判定部２ａは、患者データベース３を検索して、漢字情報の名字部分、漢字情報の名字部分および名前部分、読み仮名情報の名字部分、読み仮名情報の名字部分および名前部分が一致する他の患者が存在するか否かを判定する。その結果、患者氏名一致判定部２ａは、「渡辺  剛」と名字および名前部分の読み仮名情報が一致する「渡部  毅」が存在すると判定する。表示制御部２ｃは、表示設定部１により選択された患者である「渡辺  剛」の漢字情報を患者情報データベース３から取得し、その名字部分および名前部分に下線を引いたものを表示部４に表示する（図３（Ｂ））。
【００２２】
なお、ある患者の氏名の漢字情報および読み仮名情報の両方が他の患者の氏名と一致する場合、表示制御部２ｃは、一致する範囲が広い方を優先して下線を引く。すなわち、「渡辺  剛（ワタナベ  タケシ）」と「渡辺  毅（ワタナベ  タケシ）」とが存在する場合、表示制御部２ｃは、名字部分および名前部分の両方に下線を引く。また、「渡辺  剛（ワタナベ  タケシ）」と「渡辺  剛（ワタナベ  ツヨシ）」とが存在する場合にも、表示制御部２ｃは、名字部分および名前部分の両方に下線を引く。
【００２３】
また、表示設定部１により「木村  一郎」が選択されると、患者氏名一致判定部２ａは、患者データベース３を検索して、漢字情報の名字部分、漢字情報の名字部分および名前部分、読み仮名情報の名字部分、読み仮名情報の名字部分および名前部分が一致する他の患者が存在するか否かを判定する。その結果、患者氏名一致判定部２ａは、「木村  一郎」と一致する他の患者が存在しないと判定する。そして、語感一致判定部２ｂは、患者データベース３を検索して、語感情報の名字部分、語感情報の名字部分および名前部分が一致する患者をそれぞれ抽出する。その結果、語感一致判定部２ｂは、「木村  一郎」と名字部分の語感情報が一致する「三村  太郎」が存在すると判定する。すなわち、「木村（ＫＩＭＵＲＡ）」と「三村（ＭＩＭＵＲＡ）」とは、音節の長さが一致し、かつ、母音が一致しているため、両者の語感が一致していると判定される。表示制御部２ｃは、名字部分の語感が一致している他の患者が存在しているため、医療従事者に注意を促す、「読み方に注意が必要です！」といった文字列を「木村  一郎」の近傍に表示させる（図３（Ｃ））。
【００２４】
また、表示設定部１により「三村  太郎」が選択された場合にも、患者氏名一致判定部２ａは、「三村  太郎」と漢字情報および読み仮名情報が一致する他の患者が存在しないと判定する。そして、語感一致判定部２ａは、「三村  太郎」と名字部分の語感情報が一致する「木村  一郎」が存在すると判定する。そのため、表示制御部２ｃは、名字部分の語感が一致している他の患者が存在しているため、医療従事者に注意を促す、「読み方に注意が必要です！」といった文字列を「三村  太郎」の近傍に表示させる。
【００２５】
また、表示設定部１により「石川  達也」が選択されると、患者氏名一致判定部２ａは、患者データベース３を検索して、漢字情報の名字部分、漢字情報の名字部分および名前部分、読み仮名情報の名字部分、読み仮名情報の名字部分および名前部分が一致する他の患者が存在するか否かを判定する。その結果、患者氏名一致判定部２ａは、「石川  達也」と一致する他の患者が存在しないと判定する。そして、語感一致判定部２ｂは、患者データベース３を検索して、語感情報の名字部分、語感情報の名字部分および名前部分が一致する患者をそれぞれ抽出する。その結果、語感一致判定部２ｂは、「石川  達也」と名字部分の語感情報が一致する「市川  次郎」が存在すると判定する。すなわち、「石川（ＩＳＨＩＫＡＷＡ）」と「市川（ＩＣＨＩＫＡＷＡ）」とは、音節の長さが一致し、かつ、母音が一致しているため、両者の語感が一致していると判定される。表示制御部２ｃは、名字部分の語感が一致している他の患者が存在しているため、医療従事者に注意を促す、「読み方に注意が必要です！」といった文字列を「石川  達也」の近傍に表示させる（図３（Ｃ））。
【００２６】
また、表示設定部１により「市川  次郎」が選択された場合にも、患者氏名一致判定部２ａは、「市川  次郎」と漢字情報および読み仮名情報が一致する他の患者が存在しないと判定する。そして、語感一致判定部２ａは、「市川  次郎」と名字部分の語感情報が一致する「石川  達也」が存在すると判定する。そのため、表示制御部２ｃは、名字部分の語感が一致している他の患者が存在しているため、医療従事者に注意を促す、「読み方に注意が必要です！」といった文字列を「市川  次郎」の近傍に表示させる。
【００２７】
以上詳しく説明したように、名字部分が同じ読み仮名（または同じ漢字）の患者や名字部分および名前部分が同じ読み仮名（または同じ漢字）の患者が患者データベース３に存在すると患者氏名一致判定部２ａにより判定した場合に、表示制御部２ｃは、一致した部分（名字部分のみ、または、名字部分および名前部分の両方）が通常の表示と異なるように表示部４に表示する。これにより、医療従事者は同姓の患者が存在しているのか同姓同名の患者が存在しているのかを容易に区別することができる。従って、患者の氏名の名字部分のみが通常の表示と異なるように表示されている場合には、医療従事者は、患者を識別するための確認を患者の姓名まで行えば良いことを瞬時に判断することができる。また、患者の氏名の名字部分および名前部分の両方が通常の表示と異なるように表示されている場合には、医療従事者は、患者の姓名だけではなく患者の年齢や患者の性別、患者の識別番号、患者の顔などまで確認を行えば良いことを瞬時に判断することができる。
【００２８】
また、名字部分または名字部分および名前部分の読み仮名または漢字が一致しないと患者氏名一致判定部２ａにて判定されたものの、名字部分または名字部分および名前部分の音節の長さおよび母音により決まる語感情報が一致する他の患者が患者データベース３に存在すると語感一致判定部２ｂにより判定した場合に、表示制御部２ｃは、注意を促す表示を行うようにしている。これにより、名字部分が同じ語感の患者や名字部分および名前部分が同じ語感の患者が存在する場合に、注意を促す表示が行われるので、医療従事者は該当する患者の名前を読んだり聴いたりする際に、注意を払うことができる。
【００２９】
なお、前述した実施形態では、同姓の患者や同姓同名の患者が存在する際の表示方法として、一致した部分に下線を引くようにしているが、これに限定されない。例えば、一致した部分を白抜きにするようにしても良いし、一致した部分を太字とするようにしても良いし、一致した部分を斜体とするようにしても良いし、一致した部分を四角で囲むようにしても良い。すなわち、一致した部分を他の部分と区別して認識することができれば、どのような方法であっても良い。
【００３０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３１】
１    表示設定部
２    制御部
２ａ    患者氏名一致判定部
２ｂ    語感一致判定部
２ｃ    表示制御部
３    患者情報データベース
４    表示部
【図１】
2012008751.tif 000003
【図２】
2012008751.tif 000004
【図３】
2012008751.tif 000005